(57)【要約】【課題】小規模であり、小額な初期費用で、地震の際の液状化、地盤の沈下に対応し、もし建築物が傾いた場合、現状位置で復旧させることを可能とする機能を備えた、建築ベタ基礎構造体を提供する。【解決手段】複数のベタ基礎片（Ｂ）からなる建築ベタ基礎構造体（１）であって、ベタ基礎片（Ｂ）とベタ基礎片（Ｂ）が交わるベタ基礎隅角部（６）の内方に平面視、略三角形状のスラブ構造体（９）がベタ基礎上頭部（５）面とスラブ構造体の表面（９ｃ）とが面一にして設けられており、前記略三角形状のスラブ構造体（９）の略真下に筒状体（７）が地盤（２）に対して垂直方向に設けられる。地震後、該筒状体（７）の中にコンクリートを流し込み、コンクリート杭（８）形成し、の上頭部（８ａ）とスラブ構造体の下面（９ｄ））間にジャッキ（Ｊ）を据えつけ、その油圧揚程を利用して該コンクリート杭（８）の打設することとによって建物の傾きを修正する。【選択図】図３
2020139377.tif 000002
【特許請求の範囲】
【請求項１】
複数のベタ基礎片（Ｂ）からなる建築ベタ基礎構造体（１）であって、ベタ基礎片（Ｂ）とベタ基礎片（Ｂ）が交わるベタ基礎隅角部（６）の内方に平面視、略三角形状のスラブ構造体（９）がベタ基礎上頭部（５）面とスラブ構造体の表面（９ｃ）とが面一にして設けられており、
前記略三角形状のスラブ構造体（９）の略真下に筒状体（７）がベタ基礎底盤部（３）を貫通して、地盤（２）に対して略垂直方向に設けられており、
略三角形状のスラブ構造体（９）の下面（９ｄ）と筒状体（７）の上端部（７ｃ）の間にジャッキアップのためのジャッキスペース（１０）が設けられおり、
地震後、傾いた建物を修正する際、該筒状体（７）の中ににコンクリートを流し込み、前記筒状体（７）が地盤（２）に埋め込まれたままで、コンクリートを凝縮させ、コンクリート杭（８）を形成しており、
コンクリート杭の上頭部（８ａ）と略三角形状のスラブ構造体（９）の下面（９ｄ）の間にジャッキ台（Ｊ１）とジャッキ（Ｊ）を据付け、該ジャッキ（Ｊ）の油圧揚程を利用して前記コンクリート杭（８）を打設することによって建物の傾き修正を可能とすることを特徴とする建築ベタ基礎構造体。
【請求項２】
前記ベタ基礎片（Ｂ）が交わるベタ基礎隅角部（６）の内方に設けられた略三角形状のスラブ構造体（９）の直角方向の２側面（９ａ）（９ｂ）の下方に補強部材（１１）が設けられていることを特徴とする請求項１に記載の建築ベタ基礎構造体。
【請求項３】
前記平面視、略三角形状のスラブ構造体（９）の下面で、ベタ基礎構造体隅角部（６）の上方に補強ブラケット（１３）が設けられていることを特徴とする請求項１又は２の何れか１項に記載の建築ベタ基礎構造体。
【請求項４】
前記筒状体の上端部（７ｃ）に補強フランジ（７ａ）と、補強リブ〔７ｂ）が設けられていることを特徴とする請求項１〜３の何れか１項に記載の建築ベタ基礎構造体。
【請求項５】
前記請求項１〜４の何れか１項に記載の建築ベタ基礎構造体（１）の施工と、地震後の建物の傾きを修正する方法として、
（地震前で建設時の施工手順）
（手順１）
敷地内での建物の位置決定、道路との兼ね合いによりレベルを決定し最初に基礎部の根伐工事に着手し、根伐完了後、筒状体（７）の設置を行い、該筒状体（７）の精度、レベルを保ちながら、ベタ基礎底盤部（３）のコンクリートの打設を行う手順と、
（手順２）
ベタ基礎片（Ｂ）と略三角形状のスラブ構造体（９）の施工は、鉄筋組工事と型枠工事を並行して施工し、コンクリートの打設は同時に施工する事により、一体化した建築ベタ基礎構造体（１）を完成させ、続いて上屋の建設工事に引き継がれる手順と、
（地震後の建物の傾き修正手順）
（手順３）
地震が発生し、液状化又は地盤沈下等により建物の傾いた現状と基礎が沈下した状況を綿密に各所精査し、その数値等を確認して建物の傾きの程度状況を正確に把握する手順と、
（手順４）
空洞状態の筒状体（７）の中にコンクリートを流し込み、凝縮し、コンクリート杭（８）が形成され、該コンクリート杭（８）の上頭部（８ａ）と、前記略三角形状のスラブ構造体（９）の下面（９ｄ）の間にジャッキ台（Ｊ１）とジャッキ（Ｊ）を設置し、該ジャッキ（Ｊ）の油圧揚程により該コンクリート杭（８）を打設する手順と、
（手順５）
万が一、該コンクリート杭（８）が地盤（２）の支持層、又は準ずる固い層に達しない場合、ジャッキ台（Ｊ１）とジャッキ（Ｊ）を取り外し、その時点では、筒状体（８）の中は空洞状態になっており、そこに再度コンクリートを流し込み、凝縮を待って、該コンクリート杭の上頭部（８ａ）に、該ジャッキ台（Ｊ１）と該ジャッキ（Ｊ）を再設置し、稼動させて、該コンクリート杭（８）を再度打設する手順と、
（手順６）
このようにして、該コンクリート杭（８）が地盤（２）の支持層、又は準ずる固い層に達するまで、何度か、繰り返し該コンクリート杭（８）を打設し続ける手順と、
（手順７）
該コンクリート杭（８）が地盤（２）の支持層に到達した後もコンクリート杭（８）打設を繰り返し続けると、建築ベタ基礎構造体（１）が浮昇し始め、該建築ベタ基礎構造体（１）が所定の位置に達し建築物の傾きが解消し水平になったら、該ジャッキ台（Ｊ１）と該ジャッキ（Ｊ）を残したままで本件の建築ベタ基礎構造体（１）の傾きの修正を完成させる手順と、
（手順８）
後日、再度地震が発生し、又建物の傾きが生じた場合は、前記ジャッキ台（Ｊ１）と前記ジャッキ（Ｊ）を用いて、傾きを再度修正する手順と、
上記手順１〜手順８からなることを特徴とする建築ベタ基礎構造体の施工と建物の傾きを修正する方法。
【発明の詳細な説明】
【技術分野】
【０００１】本発明は、小額な初期費用で、傾きかけた建築物を現状位置で復旧させることを可能とする機能を備えた建築ベタ基礎構造体に関する。
【背景技術】
【０００２】従来、傾きかけた建築物を改修するには、ベタ基礎の外方地面を掘り下げて建築物の基礎底盤部、又は、建築物の土台をジャッキアップするか、重機で建築物全体を吊り上げる方法か、大掛かりな工事であった。
【先行技術文献】
【特許文献】
【０００３】
【特許文献１】特開２０１０−２３６２４９号  公報
【発明の概要】
【発明が解決しようとする課題】
【０００４】地震による液状化、地盤沈下の対策は、支持杭工法、地盤改造、砕石工法、その他色々な工法が考えられているが、何れも膨大な初期費用が掛かり、その安心安全の確証が乏しい。又、傾いた建築物の改修工事は外方からのジャッキアップ工法、吊り上げ工法、と、その他色々考えらるが、いずれも大掛かりで、その費用も中途半端な数字でないのが現状である。本発明は、傾きかけた建築物を小額な費用で、現状位置まで復旧させることを可能とする機能を備えた建築ベタ基礎構造体を安価に提供することを目的とする。
【課題を解決するための手段】
【０００５】  本発明の第１は、複数のベタ基礎片（Ｂ）からなる建築ベタ基礎構造体（１）であって、ベタ基礎片（Ｂ）とベタ基礎片（Ｂ）が交わるベタ基礎隅角部（６）の内方に平面視、略三角形状のスラブ構造体（９）がベタ基礎上頭部（５）面とスラブ構造体の表面（９ｃ）とが面一にして設けられており、
前記略三角形状のスラブ構造体（９）の略真下に筒状体（７）がベタ基礎底盤部（３）を貫通して、地盤（２）に対して略垂直方向に設けられており、
略三角形状のスラブ構造体（９）の下面（９ｄ）と筒状体（７）の上端部（７ｃ）の間にジャッキアップのためのジャッキスペース（１０）が設けられおり、
地震後、傾いた建物を修正する際、該筒状体（７）の中ににコンクリートを流し込み、前記筒状体（７）が地盤（２）に埋め込まれたままで、コンクリートを凝縮させ、コンクリート杭（８）を形成しており、
コンクリート杭の上頭部（８ａ）と略三角形状のスラブ構造体（９）の下面（９ｄ）の間にジャッキ台（Ｊ１）とジャッキ（Ｊ）を据付け、該ジャッキ（Ｊ）の油圧揚程を利用して前記コンクリート杭（８）を打設することによって建物の傾き修正を可能とすることを特徴とする建築ベタ基礎構造体である。【０００６】  本発明の第２は、  前記ベタ基礎片（Ｂ）が交わるベタ基礎隅角部（６）の内方に設けられた略三角形状のスラブ構造体（９）の直角方向の２側面（９ａ）（９ｂ）の下方に補強部材（１１）が設けられていることを特徴とする請求項１に記載の建築ベタ基礎構造体である。【０００７】  本発明の第３は、前記平面視、略三角形状のスラブ構造体（９）の下面で、ベタ基礎構造体隅角部（６）の上方に補強ブラケット（１３）が設けられていることを特徴とする請求項１又は２に何れか１項に記載の建築ベタ基礎構造体である。【０００８】  本発明の第４は、前記筒状体の上端部（７ｃ）に補強フランジ（７ａ）と、補強リブ（７ｂ）が設けられていることを特徴とする請求項１〜３の何れか１項に記載の建築ベタ基礎構造体である。【０００９】  本発明の第５は、前記請求項１〜４の何れか１項に記載の建築ベタ基礎構造体（１）の施工と地震後の建物の傾きを修正する方法として、
（地震前で建設時の施工手順）
（手順１）
敷地内での建物の位置決定、道路との兼ね合いによりレベルを決定し最初に基礎部の根伐工事に着手し、根伐完了後、筒状体（７）の設置を行い、該筒状体（７）の精度、レベルを保ちながら、ベタ基礎底盤部（３）のコンクリートの打設を行う手順と、
（手順２）
ベタ基礎片（Ｂ）と略三角形状のスラブ構造体（９）の施工は、鉄筋組工事と型枠工事を並行して施工し、コンクリートの打設は同時に施工する事により、一体化した建築ベタ基礎構造体（１）を完成させ、続いて上屋の建設工事に引き継がれる手順と、
（地震後の建物の傾き修正手順）
（手順３）
地震が発生し、液状化又は地盤沈下等により建物の傾いた現状と基礎が沈下した状況を綿密に各所精査し、その数値等を確認して建物の傾きの程度状況を正確に把握する手順と、
（手順４）
空洞状態の筒状体（７）の中にコンクリートを流し込み、凝縮し、コンクリート杭（８）が形成され、該コンクリート杭の上頭部（８ａ）と、前記略三角形状のスラブ構造体の下面（９ｄ）の間にジャッキ台（Ｊ１）とジャッキ（Ｊ）を設置し、該ジャッキ（Ｊ）の油圧揚程により該コンクリート杭（８）を打設する手順と、
（手順５）
万が一、該コンクリート杭（８）が地盤（２）の支持層、又は準ずる固い層に達しない場合、ジャッキ台（Ｊ１）とジャッキ（Ｊ）を取り外し、その時点では、筒状体（８）の中は空洞状態になっており、そこに再度コンクリートを流し込み、凝縮を待って、該コンクリート杭の上頭部（８ａ）に、該ジャッキ台（Ｊ１）と該ジャッキ（Ｊ）を再設置し、稼動させて、該コンクリート杭（８）を再度打設する手順と、
（手順６）
このようにして、該コンクリート杭（８）が地盤（２）の支持層、又は準ずる固い層に達するまで、何度か、繰り返し該コンクリート杭（８）を打設し続ける手順と、
（手順７）
該コンクリート杭（８）が地盤（２）の支持層に到達した後もコンクリート杭（８）打設を繰り返し続けると、建築ベタ基礎構造体（１）が浮昇し始め、該建築ベタ基礎構造体（１）が所定の位置に達し建築物の傾きが解消し水平になったら、該ジャッキ台（Ｊ１）と該ジャッキ（Ｊ）を残したままで本件の建築ベタ基礎構造体（１）の傾きの修正を完成させる手順と、
（手順８）
後日、再度地震が発生し、又建物の傾きが生じた場合は、前記ジャッキ台（Ｊ１）と前記ジャッキ（Ｊ）を用いて、傾きを再度修正する手順と、
上記手順１〜手順８からなることを特徴とする建築ベタ基礎構造体の施工と建物の傾きを修正する方法である。
【発明の効果】
【００１０】  本発明は、比較的小規模に実施可能であり、初期費用が安価であり、簡単で単純な構造体である。【００１１】  本発明は、地震の揺れに対し、曲げモーメントや、せん断力が基礎隅角部に集中し、過去の例から各所に大きな亀裂の被害が見られる。略三角形状スラブ構造体（９）がベタ基礎隅角部（６）に設けられているので、耐震効果とジャッキアップの反力板として機能し、一石ニ鳥である。【００１２】  本発明は、地震発生の際、建築ベタ基礎構造体（１）の内部に液状化した水を筒状体（７）を介して引き入れて、プール状にして建物全体を、出来るだけ建物の外部状況を同じくして建物の変動を最小限に抑制する効果と、又、傾いた建築物を改修する際のコンクリート杭（８）の型枠としての二刀流の役割であり、設置施工には細心の注意が必須である。【００１３】  本発明は、復旧工事に当たり確認と確証が出来、又、再々度の震災に復旧対応が可能である。
【図面の簡単な説明】
【００１４】
【図１】（地震前で建設時の）建築ベタ基礎構造体の平面図である。
【図２】（地震前で建設時の）建築ベタ基礎構造体の詳細図で図１のイーイ断面図である。
【図３】（地震後の）建築ベタ基礎構造体とスラブ構造体（９）の詳細図である。図３の（ａ）は建築ベタ基礎構造体の詳細図で図１のローロ断面図である。図３の（ｂ）はスラブ構造体（９）の斜視図である。図３の（ｃ）はスラブ構造体（９）に補強部材（１１）をとりつけた状態を示す斜視図である。
【図４】（地震前で建設時の）図１のＡ部の拡大図である。
【図５】（地震前で建設時の）建築ベタ基礎構造体の隅角部斜視図である。
【図６】（地震前で建設時の）筒状体の断型リブ構造を示す図である。
【発明を実施するための形態】
【００１５】  本発明の建築ベタ基礎構造体は地震の揺れに対応し、又その際の液状化、地盤の沈下等により、傾きかけた建物を自力で、修正することが出来るように建設時に設けられたものである。筒状体（７）が、ベタ基礎底盤部（３）を貫通して地盤（２）に対して略垂直に設置される。その目的は、通常時、該筒状体（７）の内部は空洞状態であり、地震で液状化が始まったとき、水の通路となり、該建築ベタ基礎構造体（１）の内部に液状化した水を引き込み、プール状にして建物全体を建物の外部状況と同じくして建物の変動を最小限に抑制することである。
地震がおさまり、平穏時は該建築ベタ基礎構造体（１）内の液状化した水をはきだすための釜場（４）が構築されており、そこには排水用のポンプが設置され建物の敷地外に放水される。平穏時は該建築ベタ基礎構造体（１）の内部の湿気防止の為、空洞状態である該筒状体の上端部（７ｃ）蓋付とするか、もしくは発泡スチロールのような物を該筒状体（７）の中に詰め込むのも好適である。
【００１６】  本発明は、地震後、液状化、又は地盤沈下により建築物の傾きが生じた際、該建築ベタ基礎構造体（１）は現状位置での修正機能を備えた建築ベタ基礎構造体（１）であってベタ基礎片（Ｂ）とベタ基礎片（Ｂ）とが交わるベタ基礎隅角部（６）の内方でベタ基礎上頭部（５）面とスラブ構造体の表面（９ｃ）を面一にして略三角形状のスラブ構造体（９）が構築されており、前記スラブ構造体の直角方向の２側面（９ａ）（９ｂ）と当接するベタ基礎片の内面（Ｂ１）とは鉄筋を配して強固に連結固定されている。その略真下に、筒状体（７）が設けられており、該筒状体（７）の中にコンクリート杭（８）が埋め込まれ、該コンクリート杭の上頭部（８ａ）と略三角形状のスラブ構造体の下面（９ｄ）との間にジャッキスペース（１０）を設けている。該ジャッキスペース（１０）は約３５０〜４５０ｍｍ程度が好適である。
【００１７】  本発明の筒状体（７）は、建設用地の地盤の軟弱度やコンクリート杭（８）の打ち込み深さ等によりその太さ（内径）を決定し、該筒状体（７）の材質は、該筒状体（７）の内部に打ち込まれるコンクリート杭（８）とベタ基礎底盤部（３）とが構造上、分離状態が好ましく、出来るだけコンクリートの付着力の弱い材質のものを使用する。
例えば、塩ビ系のような材質が好適である。又、打設の際コンクリート杭（８）と共に筒状体（７）自体が地盤（２）に持っていかれないよう、該筒状体の上端部（７ｃ）外面に補強フランジ（７ａ）と補強リブ（７ｂ）等が設けられていると、ベタ基礎底盤部（３）との引っ掛かり面積が大きくなるので筒状体（７）の強度が大きくなる。
【００１８】  本発明は、ジャッキ（Ｊ）と分離して、該ジャッキ（Ｊ）の重圧に、耐えられる強固なジャッキ台（Ｊ１）が別個に設けられ、ジャッキアップの際、掛かる応力が平均的に分散するよう、該ジャッキ台（Ｊ１）は、筒状体（７）の内側表面の平面視形状と略同様の形状で若干少さ目の形状であることが好適である。該ジャッキ台（Ｊ１）は、コンクリート杭（８）が打設され地中に押し込まれる際の押し込み治具となる重要な役割をはたす。材質は、硬質ゴム系のようなものが好適である。
【００１９】  本発明は、地震後、傾き掛けた建物を改修する際、筒状体（７）の内部にコンクリートが流し込まれ、凝縮し、コンクリート杭（８）が形成され、該コンクリート杭の上頭部（８ａ）にジャッキ台（Ｊ１）とジャッキ（Ｊ）が設置され、稼動して、該コンクリート杭（８）を打設する。万が一、地盤（２）の支持層、又は準ずる固い層に達しない場合、その時点では、該筒状体（７）の内部は空洞状態であり、そこに再度コンクリートを打込み、凝縮し、コンクリート杭の上頭部（８ａ）にジャッキ台（Ｊ１）とジャッキ（Ｊ）を再設置して、稼動させて、該コンクリート杭（８）を打設する。このようにして該コンクリート杭（８）が地盤（２）の支持層、又は準ずる固い層に達するまで次々と繰り返し打ち込み、地盤（２）の支持層、又は準ずる固い層に到達後も打設を繰り返し続けると、建築ベタ基礎構造体（１）が浮昇し始め、該建築ベタ基礎構造体（１）が所定の位置に達したら、コンクリート杭の上頭部（８ａ）に、該ジャッキ台（Ｊ１）と該ジャッキ（Ｊ）を残留したまま完了する。
【００２０】  本発明は、通常のスラブは上方向からの荷重が重視されるが、ジャッキアップの際、建築物を持ち上げる際の応力、又は曲げモーメントが下方向から、上方向へ架かるため、略三角形状のスラブ構造体（９）の下方に補強部材（１１）が設けられていることが好適である。
【００２１】  本発明は、ジャッキアップの際、ベタ基礎隅角部（６）に全力が集中するので略三角形状のスラブ構造体（９）の下面で、該ベタ基礎構造体隅角部（６）の上方に補強ブラッケト（１３）を設けると、強度的に好適である。補強ブラケット（１３）を設けると略三角形状のスラブ構造体（９）とベタ基礎片（Ｂ）との連結強度が向上するので好適である。該補強ブラッケト（１３）の形状は、三角錐、三角柱、立方体、四角柱、円柱等が好適である。これ以外であっても補強効果があれば良いものとする。
【００２２】  本発明は、コンクリート杭（８）の打ち込みの際、筒状体（７）が共に地中に潜り込まないよう、該筒状体の上端部（７ｃ）を補強するフランジ（７ａ）と補強リブ（７ｂ）を設けると筒状体（７）の強度アップにとって好適である。補強リブ（７ｂ）の数はフランジ（７ａ）の廻りに１０個以上が好適である。補強リブ（７ｂ）の形状は正面視、段型形状が好適であるが、これ以外であっても良いものとする。該補強リブ（７ｂ）の段型の形状はベタ基礎底盤部（３）と引っ掛かる面積が増えるので、補強リブとして効果が大きくなり筒状体（７）の強度が大きくなる。
【実施例１】
【００２３】  軟弱地盤で地震時の液状化に対応し、建築ベタ基礎構造体（１）を施工するには、例えば、我が国で標準的な２階建て住宅、建築面積５０ｍ２延べ面積１００ｍ２を例に取ると、建築物の総重量は約３０〜４０トンであると思われる。どの工事でも言えることだが、建築物の総重量を支える基礎のベースとなるベタ基礎底盤部の底面（３ａ）の地盤（２）を強固に固めることが重要である。先ずは、砕石、敷砂利地形の厚みを通常より厚めの約３００〜４００ｍｍ程度とすることが好適である。地震時の建築物に対して揺れを軽減する滑り効果が期待できる。【００２４】  建築ベタ基礎構造体（１）を施工する際に、ベタ基礎底盤部（３）のコンクリートの厚みは、約１５０ｍｍ程度が好適である。二段配筋、特に下配筋を重視することが大切である。ベタ基礎片（Ｂ）のコンクリートの厚みは約１５０ｍｍ程度が好適であり、高さは約５００ｍｍ〜６００ｍｍ程度が好適である。ジャッキアップの際、ジャッキ（Ｊ）の反力板となる略三角形状のスラブ構造体（９）は、ベタ基礎隅角部（６）の内方に、ベタ基礎上頭部（５）面とスラブ構造体の表面（９ｃ）とが面一にして設けられ、略三角形状のスラブ構造体（９）はコンクリートの厚みを約１５０ｍｍとし、該ベタ基礎隅角部（６）にスラブ構造体（９）の直角方向の２側面（９ａ）（９ｂ）を同じ寸法の約６００ｍｍとしその交点を斜めに結ぶ平面視、該略三角形状である。前記略三角形状のスラブ構造体（９）の略真下に筒状体（７）を設け、該筒状体の上端部（７ｃ）とベタ基礎底盤部（３）の上面を面一にして、該ベタ基礎底盤部（３）を貫通して筒状体（７）が地盤（２）に向かって垂直方向に設けられており、従って、該筒状体の上端部（７ｃ）と略三角形状のスラブ構造体の下面（９ｄ）の空き寸法は上記逆算して約３５０〜４５０ｍｍが、ジャッキアップの際のジャッキスペース（１０）である。【００２５】  該略三角形状のスラブ構造体（９）には、ジャッキアップの際、掛かる曲げモーメント及び全応力が集中しその反力を受ける反力板として機能する重要な役割を果たすため工事施工には細心の注意を要する。該略三角形状のスラブ構造体（９）の略真下に設けられる筒状体（７）は建設地の地盤の軟弱度とコンクリート杭（８）の打ち込みの深さによって、その太さ、及び作業性からその長さを決定する。が今回使用する筒状体（７）は、塩ビ管径３００ｍｍのものが好適である。次に、前記塩ビ管の内部にコンクリートを流し込み後、完成した径３００ｍｍのコンクリート杭（８）の強度はおよそ２０トンの垂直荷重に耐えられ、又径３００ｍｍの該塩ビ管は、コンクリートを流し込む事前の塩ビ管の内の清掃、鉄筋組、等の作業性に好適である。【００２６】  前記塩ビ管の内部で埋もれたまま、完成された径３００ｍｍのコンクリート杭の上頭部（８ａ）にジャッキ台（Ｊ１）とジャッキ（Ｊ）が設置され稼動して、該コンクリート杭（８）が打設される。万が一、該コンクリート杭（８）が地盤（２）の支持層に達しない場合、その時点では、使用されている塩ビ管の内部は空洞状態であり、そこに再度コンクリートを流し込み、凝縮を待って、該コンクリート杭（８ａ）に該ジャッキ台（Ｊ１）と該ジャッキ（Ｊ）を再設���し、稼動させて、該コンクリート杭（８）を打設する。このようにして、該コンクリート杭（８）が地盤（２）の支持層に達するまで次々と繰り返し打設する。該コンクリート杭（８）が地盤（２）の支持層に到達した後も打設を繰り返し続けると建築ベタ基礎構造体（１）が浮昇し始め、該建築ベタ基礎構造体（１）が所定の位置に達し建物の傾きが解消し水平になったら、該コンクリート杭の上頭部（８ａ）にジャッキ台（Ｊ１）と該ジャッキ（Ｊ）を残したままで本件の建築ベタ基礎構造体（１）のジャッキアップ工事を完了させる。
後日、再度地震が起きて、建物の傾きが生じた時は、前期ジャッキ台（Ｊ１）と前記ジャッキ（Ｊ）を用いて、傾きを再度、修正することが可能である。【００２７】本発明の建築ベタ基礎構造体の建設施工手順を詳しく述べる。
（地震前で建設時の施工手順）
（手順１）
地縄等により敷地内での建物の位置決定、又道路との兼ね合いによりレベルを決定し、先ず基礎部の根伐工事に着手、所定の位置まで掘られ、根伐の底面を形成しする。
次に、筒状体（７）の設置に着手し、と同時並行して砕石や敷砂利工事を行う。
該筒状体（７）の設置には、テンプレートなどを用いて、該根伐の底面上に、精度、レベルを、保ちながら、慎重にベタ基礎底盤部（３）のコンクリートを打設を行う。
（手順２）
基礎片（Ｂ）と略三角形状のスラブ構造体（９）の工事施工は、鉄筋組工事、型枠工事と並行して施工し、コンクリートの打設は同時に行う事により、一体化した強固な反力板としての建築ベタ基礎構造体（１）を完成させ、続いて上屋の建設工事に引き継がれる。【００２８】  建築工事完了後、地震が発生して、地盤が液状化して建物が傾いた場合、本発明の建築ベタ基礎構造体を用いて、建物の傾きを修正することが出来る。
この場合の方法を以下に詳しく述べる。
（地震後の建物の傾き修正手順）
（手順３）
液状化、又は地盤沈下等により建物の傾いた現状、基礎が沈下した状況を綿密に各所精査し、その数値等を確認して、建物の傾きの程度状況を正確に把握する。
（手順４）
空洞状態の筒状体（７）の中にコンクリートを流し込み、凝縮し、コンクリート杭（８）が形成され、該コンクリート杭の上頭部（８ａ）と、前記略三角形状のスラブ構造体の下面（９ｄ）の間にジャッキ台（Ｊ１）とジャッキ（Ｊ）を設置し、該ジャッ（Ｊ）を稼動させ、該ジャッキ（Ｊ）の油圧揚程を用いてコンクリート杭（８）を打設する。
（手順５）
万が一、該コンクリート杭（８）が地盤（２）の支持層、又は準ずる固い層に達しない場合、ジャッキ台（Ｊ１）とジャッキ（Ｊ）を取り外し、その時点では、筒状体（８）の中はは空洞状態になっており、そこに再度コンクリートを流し込み、凝縮し、
該コンクリート杭（８）が形成され  該コンクリート杭の上頭部（８ａ）に該ジャッキ台（Ｊ１）と該ジャッキ（Ｊ）を再設置し、該コンクリート杭（８）を再度打設する。
（手順６）
このようにして、該コンクリート杭（８）が地盤（２）の支持層、又は準ずる固い層に達するまで、何度か繰り返し該コンクリート杭（８）を打設する工程をし続ける。
（手順７）
該コンクリート杭（８）が地盤（２）の支持層に到達した後も何度か、コンクリート杭（８）の打設を繰り返し続けると、建築ベタ基礎構造体（１）が浮昇し始め、該建築ベタ基礎構造体（１）が所定の位置に達し建築物の傾きが解消し水平になったら、該ジャッキ台（Ｊ１）と該ジャッキ（Ｊ）を残したままで本件の建築ベタ基礎構造体（１）を完成させる。
（手順８）
後日、再度地震が発生し、又建物の傾きが生じた場合は、前記ジャッキ台（Ｊ１）と前記ジャッキ（Ｊ）を用いて、傾きを再度修正させる。
【産業上の利用可能性】
【００２９】  本発明の建築ベタ基礎構造体（１）は非常に単純な構成で、小規模でもあり、建設時の初期費用は略三角形状のスラブ構造体（９）に掛かる僅かな鉄筋コンクリートの工事費と、筒状体（７）の資材代とその工賃、通常のベタ基礎工事費用にごく小額な金額が上乗せされる程度である。、傾き掛けた建物を安価で確実に修正出来、又再度の地震による震災の復旧対応も可能である。
【符号の説明】
【００３０】１  建築ベタ基礎構造体
２  地盤
３  ベタ基礎底盤部
３ａ  ベタ基礎底盤部の底面
４  釜場
５  ベタ基礎上頭部
６  ベタ基礎隅角部
７  筒状体
７ａ  補強フランジ
７ｂ  補強リブ
７ｃ  筒状体の上端部
８  コンクリート杭
８ａ  コンクリート杭の上頭部
９  略三角形状のスラブ構造体
９ａ  スラブ構造体の直角方向の２側面
９ｂ  スラブ構造体の直角方向の２側面
９ｃ  スラブ構造体の表面
９ｄ  スラブ構造体の下面
１０  ジャッキスペース
Ｊ  ジャッキ
Ｊ１  ジャッキ台
Ｂ  ベタ基礎片
Ｂ１  ベタ基礎片の内面
１１  補強部材
１３  補強ブラケット
【図１】
2020139377.tif 000003
【図２】
2020139377.tif 000004
【図３】
2020139377.tif 000005
【図４】
2020139377.tif 000006
【図５】
2020139377.tif 000007
【図６】
2020139377.tif 000008
【手続補正書】
【提出日】令和1年10月17日(2019.10.17)
【手続補正１】
【補正対象書類名】特許請求の範囲
【補正対象項目名】請求項１
【補正方法】変更
【補正の内容】
【請求項１】
複数のベタ基礎片（Ｂ）からなる建築ベタ基礎構造体（１）であって、ベタ基礎片（Ｂ）とベタ基礎片（Ｂ）が交わるベタ基礎隅角部（６）の内方に平面視、略三角形状のスラブ構造体（９）がベタ基礎上頭部（５）面とスラブ構造体の表面（９ｃ）とが面一にして設けられており、前記略三角形状のスラブ構造体（９）の略真下に筒状体（７）がベタ基礎底盤部（３）を貫通して、地盤（２）に対して略垂直方向に設けられており、略三角形状のスラブ構造体（９）の下面（９ｄ）と筒状体（７）の上端部（７ｃ）の間にジャッキアップのためのジャッキスペース（１０）が設けられおり、
地震後、傾いた建物を修正する際、該筒状体（７）の中にコンクリートを流し込み、前記筒状体（７）が地盤（２）に埋め込まれたままで、コンクリートを凝縮させ、コンクリート杭（８）を形成しており、コンクリート杭の上頭部（８ａ）と略三角形状のスラブ構造体（９）の下面（９ｄ）の間にジャッキ台（Ｊ１）とジャッキ（Ｊ）を据付け、該ジャッキ（Ｊ）の油圧揚程を利用して前記コンクリート杭（８）を打設することによって建物の傾き修正を可能とすることを特徴とする建築ベタ基礎構造体。
【手続補正書】
【提出日】令和1年10月18日(2019.10.18)
【手続補正１】
【補正対象書類名】明細書
【補正対象項目名】０００５
【補正方法】変更
【補正の内容】
【０００５】  本発明の第１は、複数のベタ基礎片（Ｂ）からなる建築ベタ基礎構造体（１）であって、ベタ基礎片（Ｂ）とベタ基礎片（Ｂ）が交わるベタ基礎隅角部（６）の内方に平面視、略三角形状のスラブ構造体（９）がベタ基礎上頭部（５）面とスラブ構造体の表面（９ｃ）とが面一にして設けられており、前記略三角形状のスラブ構造体（９）の略真下に筒状体（７）がベタ基礎底盤部（３）を貫通して、地盤（２）に対して略垂直方向に設けられており、略三角形状のスラブ構造体（９）の下面（９ｄ）と筒状体（７）の上端部（７ｃ）の間にジャッキアップのためのジャッキスペース（１０）が設けられおり、
地震後、傾いた建物を修正する際、該筒状体（７）の中にコンクリートを流し込み、前記筒状体（７）が地盤（２）に埋め込まれたままで、コンクリートを凝縮させ、コンクリート杭（８）を形成しており、コンクリート杭の上頭部（８ａ）と略三角形状のスラブ構造体（９）の下面（９ｄ）の間にジャッキ台（Ｊ１）とジャッキ（Ｊ）を据付け、該ジャッキ（Ｊ）の油圧揚程を利用して前記コンクリート杭（８）を打設することによって建物の傾き修正を可能とすることを特徴とする建築ベタ基礎構造体である。